(57)【要約】【課題】遠隔監視システムにおける子機センサの設定変更を携帯電話機を用いて行う。【解決手段】複数の子機１２ａと、各子機１２ａと無線通信可能に接続されかつその制御を行う親機１２ｂとからなる遠隔監視端末装置と、親機１２ｂと通信可能に接続されたセンタ装置１３と、同様にセンタ装置１３と通信可能に接続された携帯電話装置１６からなり、前記携帯電話機１６にセンタ装置１３から子機１２ｂの設定を変更するためのプログラムをダウンロードして設定の変更を行う場合に、前記携帯電話機１６のマイクに入力する音・発音回数と設定値変更操作を対応させることで、マイクに入力する音・発音回数を変えることで前記設定変更が行えるようにする。【選択図】            図１
2005079612.tif 000002
【特許請求の範囲】
【請求項１】
情報端末装置と、センタ装置と、遠隔監視装置とからなる遠隔監視システムにおいて使用可能な情報端末装置であって、
前記情報端末装置は、センタ装置と無線で接続可能でかつ、センタ装置からの前記遠隔監視装置の設定プログラムのダウンロード及び該プログラムの実行が可能であり、かつ、前記設定プログラム実行中の各種設定事項に対する入力を音波で行う音波入力手段、及び入力された音波に基づく音情報を前記センタ装置に送信する送信手段を有していることを特徴とする情報端末装置。
【請求項２】
請求項１に記載された情報端末装置において、前記情報端末装置は、携帯電話機と操作用端末装置とからなり、前記操作用端末装置は、入力手段により入力される前記設定プログラムの実行中の前記各種入力情報に基づき予め定めた音波を発生する手段を備え、かつ、前記携帯電話機は前記端末装置で発生した音波を聴取し、聴取した音情報をセンタ装置に送信することを特徴とする情報端末装置。
【請求項３】
請求項１に記載された情報端末装置において、前記情報端末装置は、携帯電話機と操作用端末装置とからなり、前記操作用端末装置は、入力手段により入力される前記設定プログラムの実行中の前記各種入力情報を送信する手段を備え、かつ、前記携帯電話機は前記端末装置から送信された前記入力情報をセンタ装置に送信することを特徴とする情報端末装置。
【請求項４】
情報端末装置と、センタ装置と、遠隔監視装置とからなる遠隔監視システムにおいて使用可能なセンタ装置であって、
前記センタ装置は、前記情報端末装置及び遠隔監視装置と無線で接続可能であって、各遠隔監視装置に対する設定変更プログラム及び該プログラムで変更された設定変更情報を記憶する記憶手段を備え、遠隔監視装置に対して入力された情報を送信することにより、遠隔監視装置に対する設定を行うことを特徴とするセンタ装置。
【請求項５】
情報端末装置と、センタ装置と、遠隔監視装置とからなる遠隔監視システムにおいて使用可能な遠隔監視装置であって、
子機及び該子機と無線接続されかつ該子機を制御する親機からなり、該子機はセンサに接続されてセンサで検出した検出情報を親機に送信し、センタ装置からの設定変更情報に基づきセンサの設定を変更可能であることを特徴とする遠隔監視装置。
【請求項６】
請求項１ないし３のいずれかに記載された情報端末装置、請求項４に記載されたセンタ装置、及び請求項５に記載された遠隔監視装置とからなる遠隔監視システム。
【発明の詳細な説明】
【０００１】
【発明の属する技術分野】
本発明は、例えば温室の温度管理や停電管理、受電設備の故障管理システム及び該システムにおいて使用する情報端末装置、センタ装置及び遠隔監視装置に関する。
【０００２】
【従来の技術】
現在、例えば、家庭用の使用ガス量、水道量の管理などにおいて遠隔監視システムが用いられている。これは、例えば、各家庭などに設置されたメータやセンサーの近傍に送受信装置を配置し、送受信装置側で取得した計測データを例えば、電話回線網等を経由して送信し、センタ装置ーは送信された計測データを集計するなどの処理を行っている。このような送受信装置は通常親機と子機からなり、子機をメータやセンサに接続して配置し、親機をこれとは別の場所に設置して両者を無線で交信自在に接続して、測定データ等を子機側から親機側に送信するようになっている。
このような検針データ等の遠隔監視システムの１例として、マンションの各階のフロアに複数の検針用メータを設置すると共に、それらのメータを子機に接続し、検針時に各メータに割り当てられたＩＤコードと共に検針要求を入力して該当するＩＤコードを備えたメータの検針データを、親機に送信してメータの検針結果を得る無線検針システムが知られている（特許文献１参照）。
【０００３】
また、文献に記載されたものではないが、このような無線検針システムを一歩進めて、温室や受電設備等に多数のセンサを配置してこれらの計測データ等を同様に親機と子機から成る送受信装置により取得したデータをセンタ装置に送り必要な加工を加え、更に、センタ装置から各ユーザの端末装置に送信するようにした遠隔監視システムが導入されている。
図１０に従来の遠隔監視システムの１例を示す。
図示のように、この遠隔監視システムは、例えばビニールハウスなどの温度管理などのように環境を監視すべき場所１０に設置された各種の子機センサ１２ａ（例えば温度センサ、停電センサ、圧力センサ、湿度センサ等）と、１又は複数の子機１２ａを制御して各子機の検出情報を収集する親機１２ｂとからなる遠隔監視装置１２と、遠隔監視装置の親機１２ｂから送信された各子機１２ａの検出情報を受信して加工し、ユーザのハンディターミナル、パソコンもしく専用端末装置（単に端末装置などという）に検出情報を送信するセンタ装置（データセンタ装置）１３からなっている。
【０００４】
この遠隔監視システムにおいて、遠隔監視装置の子機で収集した例えば温度などの検出データは特定小電力を使って親機１２ｂへ無線送信する。親機は、例えばＤｏＰａ（登録商標）網等の無線通信網を使ってデータセンタ装置１３のサーバーに伝送する。データセンタ装置１３では親機から送信された検出情報に必要な加工を施して、インターネット等の共用又は専用ネットワーク１４を通じてユーザ側端末装置１５などに送信する。
【０００５】
ところで、以上で述べた従来の遠隔監視システムでは、そのセンサー等の制御つまり、例えば、各センサの始動、監視温度の上限値、下限値等の設定等の変更等は、端末装置などの操作で行っている。即ち、センサの設定を変更する場合、ユーザは端末装置などを操作して、センタ装置１３に格納されている設定変更プログラムをダウンロードして起動し、前記端末装置などの表示画面に表示された設定画面で、マウス、キーボード等を用いて必要な設定の変更を行っている。
しかしながら、前記端末装置などの操作は煩雑であり、とくに、情報機器に慣れ親しんでいない作業者にとって非常に取り扱い難いものである。
また、端末装置のキーボードなどの扱いができる場合であっても、端末装置などを利用してインターネットなどのネットワークを介してセンタ装置を呼び出し、設定変更プログラムをダウンロードすることはユーザにとっては操作が煩雑で面倒である。
【０００６】
【特許文献１】
特開平  ８−２４９５８４号公報
【０００７】
【発明が解決しようとする課題】
本発明はこのような問題を解決するためになされたものであって、その第１の目的は、ユーザが日頃から慣れ親しんだ携帯端末装置である携帯電話機を使用し、簡単に遠隔監視装置の設定の変更操作ができるようにすることである。  第２の目的は、遠隔監視システムにおいて操作用端末装置を携帯電話機を介してセンタ装置に繋ぐことで、センタ装置と操作用端末装置との接続を容易にすることである。
【０００８】
【課題を解決するための手段】
請求項１の発明は、情報端末装置と、センタ装置と、遠隔監視装置とからなる遠隔監視システムにおいて使用可能な情報端末装置であって、
前記情報端末装置はセンタ装置と無線で接続可能でかつ、センタ装置からの前記遠隔監視装置の設定プログラムのダウンロード及び該プログラムの実行が可能であり、かつ、前記設定プログラム実行中の各種設定事項に対する入力を音又は音声に基づき行う入力手段、及び該入力情報を前記センタ装置に送信する送信手段を有していることを特徴とする情報端末装置である。
請求項２の発明は、請求項１に記載された情報端末装置において、前記情報端末装置は、携帯電話機と操作用端末装置とからなり、前記操作用端末装置は、入力手段により入力される前記設定プログラムの実行中の前記各種入力情報に基づき予め定めた音を発生する手段を備え、かつ、前記携帯電話機は前記端末装置で発生した音を聴取し、聴取した音情報をセンタ装置に送信することを特徴とする情報端末装置である。
請求項３の発明は、請求項１に記載された情報端末装置において、前記情報端末装置は、携帯電話機と操作用端末装置とからなり、前記操作用端末装置は、入力手段により入力される前記設定プログラムの実行中の前記各種入力情報を送信する手段を備え、かつ、前記携帯電話機は前記端末装置から送信された前記入力情報をセンタ装置に送信することを特徴とする情報端末装置である。
請求項４の発明は、情報端末装置と、センタ装置と、遠隔監視装置とからなる遠隔監視システムにおいて使用可能なセンタ装置であって、前記センタ装置は、前記情報端末装置及び遠隔監視装置と無線で接続可能であって、各遠隔監視装置に対する設定変更プログラム及び該プログラムで変更された設定変更情報を記憶する記憶手段を備え、遠隔監視装置に対して入力された情報を送信することにより、遠隔監視装置に対する設定を行うことを特徴とするセンタ装置である。
請求項５の発明は、情報端末装置と、センタ装置と、遠隔監視装置とからなる遠隔監視システムにおいて使用可能な遠隔監視装置であって、子機及び該子機と無線接続されかつ該子機を制御する親機からなり、該子機はセンサに接続されてセンサで検出した検出情報を親機に送信し、センタ装置からの設定変更情報に基づきセンサの設定を変更可能であることを特徴とする遠隔監視装置である。
請求項６の発明は、請求項１ないし３のいずれかに記載された情報端末装置、請求項４に記載されたセンタ装置、及び請求項５に記載された遠隔監視装置とからなる遠隔監視システムである。
【発明の実施の形態】
【０００９】
本発明の実施形態を図面を参照して説明する。
図１は、本発明の遠隔監視システムを示す。この遠隔監視システムと図１０の従来の遠隔監視システムとの相違点は、遠隔監視装置のセンサ付き子機の設定変更を行うのに携帯電話機を用いユーザ側端末装置である操作用端末装置が携帯電話機と通信可能となっている点であり、その他の構成は同図について説明したものと同様である。
本発明の遠隔監視システムでは、ユーザは遠隔監視装置の設定を携帯電話機で変更できると共に、操作端末用装置を携帯電話機に無線接続し或いは操作用端末の音波の発生で、携帯電話機にその操作情報を送ることで、操作用端末装置での設定変更操作情報を携帯電話機を介してセンタ装置に送信し、遠隔監視装置の設定を行えるようにしている。
以下、その構成を詳細に説明する。
【００１０】
図２は、第１の実施形態で用いる情報端末装置である携帯電話機の構成を概略的に示したブロック図である。
携帯電話機１６は、制御部１６１を中心にこれに接続された、例えばブルートゥース（Ｂｌｕｅｔｏｏｔｈ）、Ｉｒｄａ（Ｉｎｆｒａｒｅｄ  Ｄａｔａ  Ａｃｃｏｓｉａｔｉｏｎ）による端末装置などと近距離通信可能な通信部１６２、他の電話機又はセンタ装置と通信を行うために通信データの変調又は復調等を行う通信部１６３、通信部１６３に接続され通信データの送受信を行うアンテナ１６４、例えばＥＬ、ＬＣＤで構成された表示部１６５、スピーカ又はイヤホンなどの音声発生部分１６６、マイクロフォン１６７、テンキーやキースイッチなどの操作部１６８からなっている。また、制御部１６１にはＣＰＵ、ＲＡＭ及びＲＯＭが設けられている。
以上の構成により、携帯電話機はセンタ装置から遠隔監視装置の監視動作の開始及び停止、使用すべきセンサの設定、センサの測定値の閾値の変更、センサで異常が発生したときの通報先電話番号の変更等の設定を変更するためのプログラム（例えばＪＡＶＡ（登録商標）アプリケーションプログラム）をＲＡＭにダウンロード可能でかつ動作可能な構成である。
【００１１】
ユーザは携帯電話機１６でセンタ装置１３を呼び出すと、センタ装置では呼出に応答して通信回線を接続すると共に、その携帯電話機１６の電話番号又は識別番号を取得し、その携帯電話機が登録されたものであれば、その電話番号又は識別番号からセンタ装置１３の記憶装置に格納した後述のテーブルを参照して、必要な設定変更用プログラムを読み出して携帯電話機に送信する。携帯電話機側では送信されたプログラムを起動して必要な設定変更操作を行い、その結果をセンタ装置１３に送信する。送信を受けたセンタ装置１３側では遠隔監視装置１２の親機１２ｂを呼び出して設定変更情報を送信し、親機１２ｂは子機１２ａの設定を変更する。設定変更に伴う検針結果は以上と逆の経路を経て、ユーザの端末装置１５又は携帯電話装置１６の表示部に表示される。
【００１２】
図３は本発明の遠隔監視システムで用いる携帯電話機との間で通信を行うユーザ側の操作用端末装置１５の構成の１例を概略的に示したブロック図である。
操作用端末装置１５には、ＣＰＵ１５１、記憶手段であるＲＡＭ／ＲＯＭ１５２、電源部１５３、外部インターフェース１５４、ＥＬ、ＬＣＤなどの表示部１５５、キー入力部１５６、電源スイッチ１５７等を備えている。外部インターフェース１５４はブルートゥースやＩｒｄａを用いて携帯電話機と通信するためのものである。
この操作用端末装置１５は、ユーザの操作に応じてそのスピーカを通して音／音声を発生し、携帯電話装置はこの音を聴取して、その音情報をセンタ装置に送信することができる。また、携帯電話機１６と操作用端末装置１５とは前記外部インターフェースを介して互いに相互に接続可能であるため、ユーザは操作用端末装置１５を操作し、その操作情報を前記外部インターフェースを用いることにより携帯電話機１６に入力し、携帯電話機１６を経由してその情報をセンタ装置１３へ送信することもできる。
【００１３】
図４はセンタ装置１３の記憶装置に格納された前記設定変更のために必要なデータ一覧からなるテーブルを示す。ここで、図４Ａは、同記憶装置に格納された基本テーブルの１例である。基本テーブルには図示のように、各携帯電話機の電話番号毎に、その識別情報、その携帯電話機にダウンロードすべきアプリケーション情報、該携帯電話機と対応する遠隔監視装置の親機の電話番号、その親機に付属する子機の番号が格納されている。図４Ｂは同様にセンタ装置の記憶装置に格納されているアプリケーションテーブルの１例であって、各アプリケーション情報ごとにアプリケーションプログラムが格納されている。なお、このアプリケーションプログラム（例えば、ＪＡＶＡ（登録商標）プログラム）は、同一であってもよいが、契約先つまりユーザ毎に別に作成したものであってもよい。
更に、図４Ｃはセンタ装置の記憶装置に格納された子機センサ設定情報テーブルの１例である。図示のように、子機の番号つまり、子機毎にそれが監視のために稼働中か停止中かを示し、かつ夫々の設定温度の閾値の上限、下限等の情報が格納されている。
【００１４】
以上の構成により、携帯電話機は基地局を介してセンタ装置１３と無線で接続可能でありかつ、センタ装置１３は、基地局を介して遠隔監視装置と無線で接続される。ここで、センタ装置１３には、予め各遠隔監視装置に対する設定変更プログラムが保存されており、携帯電話機１６は、センタ装置１３と接続することで前記設定プログラムをダウンロード可能である。前記設定変更プログラムは、センタ装置から携帯電話機へのダウンロードが完了すると自動的に起動するように構成されている。
本実施形態では、前記変更プログラムを実行する際の設定事項の入力を携帯電話機からの音情報に基づき行う。即ち、ダウンロードした設定変更プログラムに従って携帯電話機の表示装置に変更画面の例えば、「ＯＫ・ＮＯボタン」が表示されたとき、そのＯＫボタンを操作する代わりに携帯電話機のマイクを指で一度軽く叩く、同様にＮＯボタンの操作の代わりにマイクを所定時間内に二度軽く叩く。つまり携帯電話機のマイクを軽く叩くことでその「ボツ音」を入力信号としてセンタ装置に送信する。或いは、複数の選択肢から１つの項目を選択する操作を行う場合には、携帯電話機のマイクを軽く叩く毎に選択項目を一つずつカーソルが移動するようにして、所望の項目を選択し、その状態でマイクを叩く「ボツ音」以外の音声、例えば、特定の音声を出す或いは手を打つ等によってその音を入力し設定することができる。
このように、携帯電話機が聴取する音の周波数、所定時間内における反復回数と、それぞれの操作とを予め対応させて保存しておくことで、センタ装置は、携帯電話機から送信された音情報を解析して、その解析結果である設定変更を自身の記憶手段に記憶し、それと共に、当該携帯電話機に対応する遠隔監視装置に対して入力された情報を送信し遠隔監視装置に対する設定を完了する。
【００１５】
図５は本発明による子機センサの設定変更を行う場合の携帯電話機側の処理手順を示す図である。
ユーザはまずセンタ装置１３に対して電話呼出しを行い（Ｓ１０１）、センタ装置から設定変更のためのアプリケーションをダウンロードする（Ｓ１０２）。携帯電話機側ではアプリケーションがダウンロードされると自動的に該プログラムを起動し（Ｓ１０３）、その表示装置に設定値の変更入力画面が表示される（Ｓ１０４）。ここで、入力画面に対する入力を、例えば携帯電話機のマイクを軽く叩く或いは人の音声等の音情報で設定し（Ｓ１０５）、入力された音情報をセンタ装置に対して送信する（Ｓ１０６）。以上の操作をセンタ装置からの入力指示が終了するまで継続し、センタ装置からの入力指示が終了すれば（Ｓ１０７）、アプリケーションを終了すると共にセンタ装置と接続されている電話回線を切断し（Ｓ１０８）、操作を終了する。
【００１６】
図６は、設定変更を行う場合のセンタ装置側の処理手順を示すフロー図である。
先ず、センタ装置１３は、携帯電話機１６からの呼出を受信し（Ｓ２０１）、呼び出した携帯電話機の番号又は識別情報を取得し記憶する（Ｓ２０２）。取得した前記番号又は識別情報に基づき、図４に示す各テーブルに蓄積されたその携帯電話機の番号に対応したアプリケーションプログラムを携帯電話機にダウンロードする（Ｓ２０３）。そしてダウンロードが完了すると（Ｓ２０４、ＹＥＳ）、携帯電話機に対し設定変更情報の表示処理を行い（Ｓ２０５）、ユーザは設定変更のため携帯電話機に音声信号を送り、携帯電話機はこれを受信する（Ｓ２０６）。次に携帯電話機からの音声情報を解析し（Ｓ２０７）、解析後に、その解析情報に基づきセンタ装置に記憶された特定の遠隔監視装置に対する設定値を変更して保存する。この操作を設定値の変更が完了するまで継続し（Ｓ２０８）、変更が完了したとき（Ｓ２０８、ＹＥＳ）、携帯電話機のアプリケーションプログラムを終了し、それに伴いセンタ装置は設定変更終了信号を受信し回路を切断する（Ｓ２０９）。
【００１７】
図７は、更にセンタ装置側から遠隔監視装置に対して設定値を変更するセンタ装置側の手順について説明するフロー図である。
センタ装置は携帯電話機から受信して保存した変更値に基づき、携帯電話機の番号に応じた遠隔監視装置を呼出し（Ｓ３０１）、遠隔監視装置に対して前記変更値の設定を行い（Ｓ３０２）、その後回路を切断する（Ｓ３０３）ことで処理を終了する。
【００１８】
図８は、遠隔監視装置側における設定変更の手順を説明するためのフロー図である。
遠隔監視装置（親機）はセンタ装置から無線通信網を介して呼出を受け（Ｓ４０１）、これに応答することで当該遠隔監視装置に対する設定値変更情報を受信して変更値の設定を行う（Ｓ４０２）。変更値の設定を行った後、回線を切断する（Ｓ４０３）。
【００１９】
以上の実施形態では、携帯電話機にユーザが出す音や音声で遠隔監視装置の設定変更を行うことを説明したが、音波を情報端末装置である操作用端末装置で発生するようにしてもよい。つまり、操作用端末装置を操作したときにそのスピーカから特定の周波数の音を１回又は複数回発生させ、これを前記操作用端末装置と共に情報端末装置を構成する携帯電話機のマイクで聴取し、その音情報をセンタ装置に送信するようにしてもよい。
更に、操作用端末装置で設定変更を行い、その結果をブルートゥースやＩｒｄａで携帯電話機に送信してそこからセンタ装置に送信することもできる。
図９は、操作用端末装置を操作してその操作情報を携帯電話機を介してセンタ装置に送信する場合の第２の実施形態の処理を説明するためのフロー図である。ユーザはまずセンタ装置に対して電話呼出しを行い（Ｓ５０１）、センタ装置から設定変更のためのアプリケーションを受信するとともに（Ｓ５０２）、これを端末装置にダウンロードする（Ｓ５０３）。端末装置側ではアプリケーションがダウンロードされると自動的に該プログラムを起動し（Ｓ５０４）、その表示画面上に表示された遠隔監視装置の設定項目等を、そのキーボード等により操作する（Ｓ５０５）。端末装置は、その操作に応じて予め定めた音情報（特定周波数の音波など）をスピーカ等から発信するか又は前記通信手段を用いて無線出力する（Ｓ５０６）。携帯電話機はその音波を聴取、又は電波や赤外線を受信又は受光し、この音波に基づく音情報、或いは電波や赤外線で送信された情報をセンタ装置に送信する（Ｓ５０７）。以上の操作をセンタ装置からの入力指示が終了するまで継続し、センタ装置からの入力指示が終了すれば（Ｓ５０８）、アプリケーションを終了すると共にセンタ装置と接続されている電話回線を切断し（Ｓ５０９）、操作を終了する。
その他の処理は図５〜図８のフロー図に関連して説明したものと同様である。
【００２０】
【発明の効果】
普段から使い慣れた携帯電話機を用いて容易に遠隔監視装置に対する設定変更を可能とし、また、設定変更時の入力は携帯電話機に音波で入力することにより、キー入力による操作の煩雑性を軽減することができる。また、端末装置などを携帯電話機を介してセンタ装置に容易に接続できるから、ネットワークを介してセンタ装置に接続するなどの面倒な操作が不必要である。
【図面の簡単な説明】
【図１】本遠隔監視システムを概略的に示す図である。
【図２】本遠隔監視システムで使用する携帯電話機の構成を概略的に示す図である。
【図３】本遠隔監視システムで使用する操作用端末装置の構成を概略的に示す図である。
【図４】センタ装置の記憶手段に格納するテーブルを例示した図であって、図２Ａは基本テーブル、同２Ｂはアプリケーションテーブル、２Ｃは子機センサ設定情報テーブルである。
【図５】携帯電話機側の設定変更の処理手順を示すフロー図である。
【図６】センタ装置側の設定変更の処理手順を示すフロー図である。
【図７】センタ装置側の設定変更の別の処理手順を示すフロー図である。
【図８】遠隔監視装置側の設定変更の処理手順を示すフロー図である。
【図９】別の実施形態における設定変更の処理手順を示すフロー図である。
【図１０】従来の遠隔監視システムを概略的に示す図である。
【符号の説明】
１２…遠隔監視装置（１２ａ…子機、１２ｂ…親機）、１３…センタ装置、１４…ネットワーク、１５…操作用端末装置、１６…携帯電話機。
【図１】
2005079612.tif 000003
【図２】
2005079612.tif 000004
【図３】
2005079612.tif 000005
【図４】
2005079612.tif 000006
【図５】
2005079612.tif 000007
【図６】
2005079612.tif 000008
【図７】
2005079612.tif 000009
【図８】
2005079612.tif 000010
【図９】
2005079612.tif 000011
【図１０】
2005079612.tif 000012